(57)【要約】  換気扇装置は、換気扇本体と、換気扇本体を収納するケースと、ケース内に収納された操作表示ユニットと、ケース内に収納された制御回路ユニットと、操作表示ユニットと制御回路ユニットとを接続するリード線（５０）と、を備える。操作表示ユニットは、筐体を構成するユニットケースと、ユニットケース内に収納された表示基板（３２）と、ユニットケースの一側面（３３２）と間隔を空けた状態で一側面（３３２）の外側に設けられてリード線（５０）を保護する保護壁（３３３）と、を備え、表示基板（３２）から一側面（３３２）の外側に引き出されたリード線（５０）が、一側面（３３２）と保護壁（３３３）との間の間隙に挿通されて操作表示ユニットの外部に引き出されている。
2018069963.tif 000002
【特許請求の範囲】
【請求項１】
換気扇本体と、
前記換気扇本体を収納するケースと、
前記ケース内に収納された第１ユニットと、
前記ケース内に収納された第２ユニットと、
前記第１ユニットと前記第２ユニットとを接続するリード線と、
を備え、
前記第１ユニットは、
筐体を構成するユニットケースと、
前記ユニットケース内に収納されて前記第１ユニットの機能を実行する機能部と、
前記ユニットケースの一側面と間隔を空けた状態で前記一側面の外側に設けられて前記リード線を保護する保護壁と、
を備え、
前記機能部から前記一側面の外側に引き出された前記リード線が、前記一側面と前記保護壁との間の間隙に挿通されて前記第１ユニットの外部に引き出されていること、
を特徴とする換気扇装置。
【請求項２】
前記第１ユニットは、前記間隙内において前記リード線を押さえて固定する押さえ固定部を有すること、
を特徴とする請求項１に記載の換気扇装置。
【請求項３】
前記第１ユニットは、前記機能部から前記一側面の外側に引き出される前記リード線の前記一側面の端部における位置を決める切り欠き部を有していること、
を特徴とする請求項１または２に記載の換気扇装置。
【請求項４】
前記第１ユニットは、前記機能部が前記換気扇装置の運転の操作および運転状態の表示を司る操作表示ユニットであり、
前記第２ユニットは、前記操作表示ユニットに対して制御信号を出力する制御回路ユニットであること、
を特徴とする請求項１から３のいずれか１つに記載の換気扇装置。
【発明の詳細な説明】
【技術分野】
【０００１】
本発明は、操作表示ユニットと制御回路ユニットと備えた換気扇装置に関する。
【背景技術】
【０００２】
従来、給気経路および排気経路と、熱交換器とが内部に形成された換気扇本体を備え、給気経路を流通する給気流と排気経路を流通する排気流との間で熱交換を行いながら換気を行う換気扇装置が用いられている。【０００３】
このような換気扇装置として、特許文献１には、換気扇本体を収納するケースの前面に配置された正面パネルに運転状態を表示するランプなどの器機を有する操作表示ユニットと、操作表示ユニットにおける表示内容および換気扇本体の運転状態を制御する制御回路ユニットとが、個別に設けられた、換気扇装置が開示されている。操作表示ユニットと制御回路ユニットとは、フレキシブルなリード線により接続されている。
【先行技術文献】
【特許文献】
【０００４】
【特許文献１】特許第４８５０５４６号公報
【発明の概要】
【発明が解決しようとする課題】
【０００５】
しかしながら、上記特許文献１の換気扇装置においては、操作表示ユニットと制御回路ユニットとを接続するリード線の被覆が、換気扇装置の組み立て時に傷つくことを防止するために、リード線がむき出しならないように考慮する必要がある。ここで、むき出しになったリード線を保護するためには、リード線を別部品により覆うなどの配慮が必要となり、部品点数が増加する、という問題があった。【０００６】
また、複数本のリード線が用いられる場合には、複数本のリード線をシートにより束ねることが行われる。しかし、リード線を束ねるシートは、リード線のフレキシブル性を阻害しないために薄いものが用いられる。このため、リード線を束ねるシートでは、換気扇装置の組み立て時に傷つくことを防止する効果は得られず、リード線を保護するための専用の別部品が必要となる。【０００７】
本発明は、上記に鑑みてなされたものであって、部品点数を増加させずに、内部の構成ユニット間を接続するリード線を保護できる換気扇装置を得ることを目的とする。
【課題を解決するための手段】
【０００８】
上述した課題を解決し、目的を達成するために、本発明にかかる換気扇装置は、換気扇本体と、換気扇本体を収納するケースと、ケース内に収納された第１ユニットと、ケース内に収納された第２ユニットと、第１ユニットと第２ユニットとを接続するリード線と、を備える。第１ユニットは、筐体を構成するユニットケースと、ユニットケース内に収納されて第１ユニットの機能を実行する機能部と、ユニットケースの一側面と間隔を空けた状態で一側面の外側に設けられてリード線を保護する保護壁と、を備え、機能部から一側面の外側に引き出されたリード線が、一側面と保護壁との間の間隙に挿通されて第１ユニットの外部に引き出されている。
【発明の効果】
【０００９】
本発明にかかる換気扇装置は、部品点数を増加させずに、内部の構成ユニット間を接続するリード線を保護できる、という効果を奏する。
【図面の簡単な説明】
【００１０】
【図１】本発明の実施の形態にかかる換気扇装置を示す斜視図
【図２】本発明の実施の形態にかかる換気扇装置の操作表示ユニットの構成を示す分解斜視図
【図３】本発明の実施の形態にかかる換気扇装置におけるケース内においてリード線により接続された操作表示ユニットと制御回路ユニットとを示す概念図
【図４】本発明の実施の形態にかかる換気扇装置における操作表示ユニットと制御回路ユニットを結ぶリード線が、操作表示ユニットに設けられたリード押さえ固定部に保持されている状態を示す正面図
【図５】図４における要部拡大図
【図６】本発明の実施の形態にかかる換気扇装置における操作表示ケースを示す斜視図
【発明を実施するための形態】
【００１１】
以下に、本発明の実施の形態にかかる換気扇装置を図面に基づいて詳細に説明する。なお、この実施の形態によりこの発明が限定されるものではない。
【００１２】
実施の形態
図１は、本発明の実施の形態にかかる換気扇装置１００を示す斜視図である。図１において、換気扇装置１００は、細長形状が水平方向に延びた状態で、図示しない室内の壁面上部に設置されている。また、図１においては、換気扇装置１００を下方右側から見た状態を示している。
【００１３】
換気扇装置１００は、換気扇本体１０と、換気扇本体１０を収納する細長箱状のケース２０と、換気扇本体１０とともにケース２０内に収納されケース２０に設けられた覗き窓２５から見えるように配置された換気扇装置１００の運転の操作および運転状態の表示を行う操作表示ユニット３０と、操作表示ユニット３０に電気的に接続されて操作表示ユニット３０と通信可能であり操作表示ユニット３０に対して制御信号を出力する機能部である制御回路ユニット４０とを有している。すなわち、換気扇装置１００は、ケース２０内に収納された第１ユニットである操作表示ユニット３０と、操作表示ユニット３０と分割して設けられてケース２０内に収納された第２ユニットである制御回路ユニット４０とを有している。
【００１４】
換気扇本体１０は、図示しないファン、モータ、熱交換器および通風路等を備え、室内の空気を換気する。ケース２０は、換気扇本体１０および制御回路ユニット４０を収納する本体ケース２２と、本体ケース２２の前面を覆う前面ケース２１と、から構成されている。前面ケース２１の下面には、室内の空気を吸い込む吸込口２３が設けられている。また、前面ケース２１の前面の一端側には、換気扇本体１０から室内に新鮮な空気を吹き出す吹出口２４が設けられている。一方、前面ケース２１の前面の他端側の下部には、操作表示ユニット３０が挿入される覗き窓２５が設けられている。
【００１５】
図２は、本発明の実施の形態にかかる換気扇装置１００の操作表示ユニット３０の構成を示す分解斜視図である。図３は、本発明の実施の形態にかかる換気扇装置１００におけるケース２０内においてリード線５０により接続された操作表示ユニット３０と制御回路ユニット４０とを示す概念図である。図２および図３においては、換気扇装置１００および操作表示ユニット３０の奥行き方向をＸ方向として示している。図４は、本発明の実施の形態にかかる換気扇装置１００における操作表示ユニット３０と制御回路ユニット４０を結ぶリード線５０が、操作表示ユニット３０に設けられたリード押さえ固定部３３４に保持されている状態を示す正面図である。図５は、図４におけるＡ部の拡大図である。図６は、本発明の実施の形態にかかる換気扇装置１００における操作表示ケース３３を示す斜視図である。
【００１６】
操作表示ユニット３０は、操作表示ユニット３０の機能を実行する機能部として換気扇装置１００の操作および運転状態の表示が可能な操作表示部３１と、操作表示ユニット３０の機能を実行する機能部として換気扇装置１００の運転状態を表示するためのランプ３２１を備えた表示基板３２と、内部に表示基板３２を収納するとともに前面の開口部に操作表示部３１が取り付けられる操作表示ケース３３と、を有する。
【００１７】
操作表示部３１は、換気扇装置１００を操作するための操作ボタンを備えたボタン操作部３１１と、外部から赤外線の光操作信号を受光する受光部３１２と、覗き窓２５から見える正面に換気扇装置１００の運転状態を表示するランプ表示部３１３とを有している。また、操作表示部３１は、操作表示ケース３３における開口部に取り付けられることにより、操作表示ユニット３０の筐体の一部を構成する。
【００１８】
受光部３１２は、図示しないリモートコントローラ等の外部装置から発せられた赤外線の光操作信号を受光する部位である。受光部３１２は、赤外線を受光する図示しない受光素子の前に、斜め下方以外の方向からの光信号を遮るようなカバーが設けられて、斜め下方からの光操作信号を良好に受光するように構成されている。
【００１９】
ランプ表示部３１３は、後述する表示基板３２のランプ３２１の光が開口部から見えるように構成されており、開口部から見える複数のランプ３２１があり、運転状態にあったランプ３２１が点灯することにより換気扇装置１００の運転状態を表示する。複数のランプ３２１の色はそれぞれ異なる。
【００２０】
表示基板３２は、操作表示部３１側に突出して設けられた複数色のランプ３２１を有している。複数色のランプ３２１は、換気扇装置１００の運転状態ごとに個別の色が設定されている。表示基板３２には、操作表示ユニット３０と制御回路ユニット４０とを接続する信号線、より詳細には表示基板３２制御回路ユニット４０とを接続する信号線であるリード線５０が接続されたコネクタ部３２２が設けられている。コネクタ部３２２は、ランプ３２１、ボタン操作部３１１および受光部３１２と、図示しない配線により接続される。また、リード線５０の一端は、コネクタ部３２２に接続され、リード線５０の他端は、操作表示ユニット３０の外部に引き出されて制御回路ユニット４０に接続される。コネクタ部３２２には、複数のリード線５０が、１列に配列された状態で接続される。これにより、ランプ３２１、ボタン操作部３１１および受光部３１２は、図示しない配線およびリード線５０を介して制御回路ユニット４０と電気的に接続され、制御回路ユニット４０と通信可能とされている。なお、図２においては、リード線５０の一端側のみを示している。
【００２１】
操作表示ケース３３は、樹脂材料からなり、一面が開口された中空の直方体形状を有し、操作表示ユニット３０の筐体の一部を構成する。操作表示ケース３３の直方体形状における操作表示部３１側の面である前面は開口部３３１とされ、この開口部３３１から表示基板３２を内部に収納可能とされている。また、操作表示ケース３３は、前面の開口部３３１に操作表示部３１が取り付けられる。すなわち、操作表示ケース３３と操作表示部３１とにより、操作表示ユニット３０の筐体であるユニットケースが構成される。
【００２２】
また、操作表示ケース３３は、表示基板３２においてコネクタ部３２２が配置された側に対応する一側面３３２の外側に、該一側面３３２と既定の間隔を有した状態で該一側面３３２と平行に設けられ、リード線５０を保護する保護壁３３３を備える。すなわち、保護壁３３３は、一側面３３２と間隔を空けた状態で一側面３３２の外側に設けられてリード線５０を保護する。保護壁３３３は、下部接続面３４１により操作表示ケース３３の一側面３３２と接続されている。また、保護壁３３３は、屈曲した上部接続面３４３により、操作表示ケース３３の上面３４４と接続されている。
【００２３】
保護壁３３３は、樹脂材料により構成されており、操作表示ケース３３と一体形成されている。すなわち、保護壁３３３は操作表示ケース３３の形成時に同時に形成されるため、保護壁３３３を形成するための個別の工程および保護壁３３３を取り付けるための個別の工程は不要である。
【００２４】
操作表示ユニット３０が組み立てられた状態において、すなわち表示基板３２が操作表示ケース３３内に収納された状態において、リード線５０の他端側は、操作表示ユニット３０の外部に引き出されている。そして、操作表示ユニット３０から延びるリード線５０は、本体ケース２２の内部において、換気扇本体１０の部品間の既定の経路を引き回されたのち、制御回路ユニット４０に接続されている。
【００２５】
ここで、本実施の形態においては、図２、図４から図５に示すとおり、操作表示ユニット３０の操作表示ケース３３の一側面３３２の外側に保護壁３３３が設けられている。一側面３３２と保護壁３３３との間の間隙は、操作表示ユニット３０の外部に連通しており、リード線５０を挿通可能とされている。すなわち、一側面３３２と保護壁３３３との間の間隙は、操作表示ユニット３０の内部から操作表示ユニット３０の外部に連通して、表示基板３２に接続されたリード線５０、すなわちコネクタ部３２２に接続されたリード線５０を、挿通可能な挿通路を構成している。
【００２６】
表示基板３２に接続されたリード線５０、すなわちコネクタ部３２２に接続されたリード線５０は、１列に配列された状態で薄いシート３２３により束ねられている。リード線５０の他端側は、操作表示ケース３３の一側面３３２と保護壁３３３との間の間隙を通って、図３に示すように操作表示ケース３３の奥行き方向における後ろ側において操作表示ユニット３０の外部に引き出される。保護壁３３３は、操作表示ユニット３０が組み立てられた状態において、操作表示ケース３３の奥行き方向におけるコネクタ部３２２から操作表示ケース３３の後端部までの範囲に設けられている。操作表示ユニット３０および操作表示ケース３３の奥行き方向は、換気扇装置１００の奥行き方向と同じ方向であり、図２および図３におけるＸ方向である。
【００２７】
操作表示ユニット３０が操作表示ケース３３の一側面３３２の外側に保護壁３３３を備えることにより、操作表示ユニット３０の一側面３３２に面するリード線５０は、むき出しの状態となることが無く、保護壁３３３により保護されている。すなわち、表示基板３２から一側面３３２の外側に引き出されたリード線５０は、一側面３３２と保護壁３３３との間の間隙に挿通されて操作表示ユニット３０の外部に引き出されており、一側面３３２から引き出されて一側面３３２に面するリード線５０は、外部に露出することが防止されている。これにより、換気扇装置１００の組み立て時におけるリード線５０の傷つき、および他の部品がリード線５０を噛み込むことを防止することができる。また、むき出しのリード線５０を保護するために専用の別部品を追加する必要が無く、コストダウンを図ることができる。
【００２８】
操作表示ユニット３０が保護壁３３３を備えない場合には、リード線５０の他端側は、操作表示ケース３３の一側面３３２の外側にむき出しの状態で配されることになる。このため、換気扇装置１００の組み立て時におけるリード線５０の傷つき、および他の部品によるリード線５０の噛み込みが発生するおそれがある。そして、リード線５０の傷つきおよび他の部品がリード線５０を噛み込むことを防止するためには、むき出しのリード線５０を保護するために専用の別部品を追加する必要があり、部品点数が増加する。
【００２９】
しかしながら、本実施の形態においては、操作表示ユニット３０が操作表示ケース３３の一側面３３２の外側に保護壁３３３を備えることにより、専用の別部品を追加する必要がなく、部品点数を増加させることなく、リード線５０を保護することができる。
【００３０】
また、操作表示ユニット３０は、図４および図５に示すように、一側面３３２と保護壁３３３との間の間隙を通過するリード線５０を上下方向において押さえて固定する、スリット形状を有するリード押さえ固定部３３４を有している。ここでの上下方向は、１列に配列した状態で薄いシート３２３によって束ねられた複数のリード線５０の配列方向に対応しており、図２から図５におけるＹ方向に対応している。そして、一側面３３２と保護壁３３３との間の間隙を通過するリード線５０は、薄いシート３２３によって束ねられ、リード押さえ固定部３３４に固定された状態で、操作表示ユニット３０の外部に引き出されている。
【００３１】
リード押さえ固定部３３４は、操作表示ケース３３の奥行き方向、すなわち図２および図３におけるＸ方向に沿って設けられている。リード押さえ固定部３３４は、リード線５０を上下方向において押さえて固定する。すなわち、リード押さえ固定部３３４は、操作表示ケース３３の一側面３３２と保護壁３３３との間隙においてリード線５０の上部に配置された上部リード押さえ固定部３３５と、操作表示ケース３３の一側面３３２と保護壁３３３との間隙においてリード線５０の下部に配置された下部リード押さえ固定部３３６と、により構成されている。
【００３２】
リード線５０が上部リード押さえ固定部３３５と下部リード押さえ固定部３３６との間に挿入されることにより、リード線５０が上部リード押さえ固定部３３５と下部リード押さえ固定部３３６とにより上下方向から押さえられ、固定される。すなわち、薄いシート３２３によって束ねられた複数のリード線５０うち上端のリード線５０が、上部リード押さえ固定部３３５により上下方向における移動が制限されて固定される。また、薄いシート３２３によって束ねられた複数のリード線５０うち下端のリード線５０が、下部リード押さえ固定部３３６により上下方向における移動が制限されて固定される。ここで、上部リード押さえ固定部３３５と下部リード押さえ固定部３３６とは、薄いシート３２３によって束ねられた複数のリード線５０の太さより細い隙間を有するスリット形状とされている。
【００３３】
上部リード押さえ固定部３３５は、第１上部リード押さえ固定部３３７と第２上部リード押さえ固定部３３８とにより構成されている。第１上部リード押さえ固定部３３７と第２上部リード押さえ固定部３３８とは、操作表示ケース３３の一側面３３２と保護壁３３３の内面との間において、保護壁３３３の面方向において対応する位置に配置されており、第１上部リード押さえ固定部３３７と第２上部リード押さえ固定部３３８と間の中央部における保護壁３３３の面方向と平行な仮想面Ｂに対して面対称な形状を有する。
【００３４】
第１上部リード押さえ固定部３３７は、一端側が操作表示ケース３３の一側面３３２に接続して保護壁３３３側に突出した上部第１突出部３３７ａと、上部第１突出部３３７ａの他端側から操作表示ケース３３の一側面３３２と平行に下方に延伸する上部第１平行部３３７ｂと、により構成されている。第２上部リード押さえ固定部３３８は、一端側が保護壁３３３の内面に接続して操作表示ケース３３の一側面３３２側に突出した上部第２突出部３３８ａと、上部第２突出部３３８ａの他端側から保護壁３３３の内面と平行に下方に延伸する上部第２平行部３３８ｂと、により構成されている。
【００３５】
上部第１平行部３３７ｂと上部第２平行部３３８ｂとは、薄いシート３２３を含めたリード線５０の太さより細い、既定の間隔を有した状態で配置されている。上部第１平行部と上部第２平行部との間の間隔Ｌ１を、シート３２３を含めたリード線の太さＬ３より細くすることで、薄いシート３２３を含めたリード線５０が上部第１平行部３３７ｂと上部第２平行部３３８ｂとの間の間隔に入り込むことがなく、薄いシート３２３によって束ねられた複数のリード線５０を押さえて上方への移動を規制し、リード線５０を固定することができる。
【００３６】
なお、複数のリード線が薄いシート３２３によって束ねられていない状態で操作表示ケース３３の一側面３３２と保護壁３３３との間隙に挿通される場合には、上部第１平行部３３７ｂと上部第２平行部３３８ｂとは、リード線５０の太さよりも細い既定の間隔を有した状態に配置される。上部第１平行部と上部第２平行部との間の間隔Ｌ１を、リード線５０の太さよりもより細くすることで、リード線５０が上部第１平行部３３７ｂと上部第２平行部３３８ｂとの間の間隔に入り込むことがなく、リード線５０を押さえて上方への移動を規制してリード線５０を固定することができる。
【００３７】
同様に、下部リード押さえ固定部３３６は、第１下部リード押さえ固定部３３９と第２下部リード押さえ固定部３４０とにより構成されている。第１下部リード押さえ固定部３３９と第２下部リード押さえ固定部３４０とは、操作表示ケース３３の一側面３３２と保護壁３３３の内面との間において、保護壁３３３の面方向において対応する位置に配置されており、第１下部リード押さえ固定部３３９と第２下部リード押さえ固定部３４０と間の中央部における保護壁３３３の面方向と平行な仮想面に対して面対称な形状を有する。
【００３８】
第１下部リード押さえ固定部３３９は、操作表示ケース３３の一側面３３２と保護壁３３３との間の一側面３３２側において、操作表示ケース３３の一側面３３２と保護壁３３３を接続する接続面３４１の内面から保護壁３３３の面方向と平行に上方に突出して設けられている。第２下部リード押さえ固定部３４０は、操作表示ケース３３の一側面３３２と保護壁３３３との間の保護壁３３３において、操作表示ケース３３の一側面３３２と保護壁３３３を接続する接続面３４１の内面から保護壁３３３の面方向と平行に上方に突出して設けられている。
【００３９】
第１下部リード押さえ固定部３３９と第２下部リード押さえ固定部３４０とは、薄いシート３２３を含めたリード線５０の太さより細い、既定の間隔を有した状態で配置されている。第１下部リード押さえ固定部と第２下部リード押さえ固定部との間の間隔Ｌ２を、シートを含めたリード線の太さＬ３より細くすることで、薄いシート３２３を含めたリード線５０が第１下部リード押さえ固定部３３９と第２下部リード押さえ固定部３４０との間の間隔に入り込むことがなく、薄いシート３２３によって束ねられた複数のリード線５０を押さえて下方への移動を規制してリード線５０を固定することができる。
【００４０】
なお、複数のリード線が薄いシート３２３によって束ねられていない状態で操作表示ケース３３の一側面３３２と保護壁３３３との間隙に挿通される場合には、第１下部リード押さえ固定部３３９と第２下部リード押さえ固定部３４０とは、リード線５０の太さよりも細い既定の間隔を有した状態に配置される。第１下部リード押さえ固定部３３９と第２下部リード押さえ固定部３４０との間の間隔を、リード線５０の太さよりもより細くすることで、リード線５０が第１下部リード押さえ固定部３３９と第２下部リード押さえ固定部３４０との間の間隔に入り込むことがなく、リード線５０を押さえて下方への移動を規制してリード線５０を固定することができる。
【００４１】
また、リード押さえ固定部３３４は、薄いシート３２３によって束ねられた複数のリード線５０うち上端のリード線５０を上下方向における同じ位置で固定できれば、上記形状に限定されない。
【００４２】
また、操作表示ケース３３は、表示基板３２においてコネクタ部３２２が配置された側に対応するとともに表示基板３２から引き出されたリード線５０が通過する一側面３３２の端部３３２ａに嵌め込み部３４２を有する。嵌め込み部３４２は、リード線５０が表示基板３２と接続するための位置を分かりやすくするために位置決め用の切欠き部である。すなわち、嵌め込み部３４２は、表示基板３２から一側面３３２の外側に引き出されたリード線５０の一側面３３２の端部３３２ａにおける位置を決め用の切り欠き部である。
【００４３】
一側面３３２の端部３３２ａに嵌め込み部３４２を有することにより、操作表示ケース３３に収納した表示基板３２のコネクタ部３２２にリード線５０を接続する際に接続位置が分かりやすくなる。すなわち、表示基板３２にコネクタ部３２２の一部を構成する雌コネクタが設けられ、リード線５０の一端が接続されてコネクタ部３２２の他部を構成する雄コネクタを接続する際に、雄コネクタを接続する接続位置が分かりやすくなり、リード線５０の位置決めが容易になる。また、本実施の形態においては、コネクタ部３２２により複数のリード線５０の一端側がまとめられているが、コネクタ部３２２を用いない場合には、よりリード線５０の位置決めが容易になる効果が得られる。
【００４４】
また、リード線５０が嵌め込み部３４２にはまり込むことにより、リード線５０が接続されたコネクタ部３２２が位置決めされて固定され、リード線５０のばたつきを抑えられる。これにより、操作表示部３１と操作表示ケース３３とを係合して操作表示ユニット３０を形成する際に、リード線５０の噛み込みを防止することができ、作業性が改善する。
【００４５】
なお、上記においては、保護壁３３３が操作表示ケース３３の奥行き方向におけるコネクタ部３２２から操作表示ケース３３の後端部までの範囲に設けられている場合について説明したが、保護壁３３３をコネクタ部３２２から操作表示ケース３３の後端部までの範囲において部分的に設けることも可能である。
【００４６】
また、上述した本実施の形態にかかる換気扇装置１００は、熱交換器を装備した熱交換型の換気扇装置であるが、上述した操作表示ユニット３０の構成は、熱交換型の換気扇装置に限らず、熱交換器を備えずに送風のみを実施する換気扇装置にも適用することができる。
【００４７】
上述したように、本実施の形態にかかる換気扇装置１００においては、操作表示ユニット３０の操作表示ケース３３が、操作表示ケース３３の一側面３３２に沿って表示基板３２から操作表示ユニット３０の外部に引き出されるリード線５０が通過する通過経路の外側に、リード線５０を保護する保護壁３３３を備える。これにより、操作表示ユニット３０と制御回路ユニット４０とを接続するリード線５０の被覆が、換気扇装置１００の組み立て時に傷つくことを、リード線５０を保護するために専用の別部品を追加する必要が無く、防止することができる。
【００４８】
また、保護壁３３３は操作表示ケース３３の形成時に同時に樹脂により形成されているため、保護壁３３３を形成するための個別の工程および保護壁３３３を取り付けるための個別の工程は不要である。
【００４９】
また、表示基板３２から引き出されたリード線５０が通過する操作表示ケース３３の一側面３３２の端部３３２ａに嵌め込み部３４２を有する。これにより、操作表示部３１と操作表示ケース３３とを係合して操作表示ユニット３０を形成する際のリード線５０の噛み込みを防止することができ、操作表示ユニット３０の組み立ての作業性を改善することができる。
【００５０】
したがって、本実施の形態にかかる換気扇装置１００によれば、部品点数を増加させずに、換気扇装置１００の内部の構成ユニットである操作表示ユニット３０と制御回路ユニット４０とを接続するリード線５０を保護できる。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１０  換気扇本体、２０  ケース、２１  前面ケース、２２  本体ケース、２３  吸込口、２４  吹出口、２５  覗き窓、３０  操作表示ユニット、３１  操作表示部、３２  表示基板、３３  操作表示ケース、４０  制御回路ユニット、５０  リード線、１００  換気扇装置、３１１  ボタン操作部、３１２  受光部、３１３  ランプ表示部、３２１  ランプ、３２２  コネクタ部、３２３  シート、３３１  開口部、３３２  一側面、３３２ａ  端部、３３３  保護壁、３３４  リード押さえ固定部、３３５  上部リード押さえ固定部、３３６  下部リード押さえ固定部、３３７  第１上部リード押さえ固定部、３３７ａ  上部第１突出部、３３７ｂ  上部第１平行部、３３８  第２上部リード押さえ固定部、３３８ａ  上部第２突出部、３３８ｂ  上部第１平行部、３３９  第１下部リード押さえ固定部、３４０  第２下部リード押さえ固定部、３４１  接続面、３４２  嵌め込み部、Ｌ１  上部第１平行部と上部第２平行部との間の間隔、Ｌ２  第１下部リード押さえ固定部と第２下部リード押さえ固定部との間の間隔、Ｌ３  シートを含めたリード線の太さ。
【図１】
2018069963.tif 000003
【図２】
2018069963.tif 000004
【図３】
2018069963.tif 000005
【図４】
2018069963.tif 000006
【図５】
2018069963.tif 000007
【図６】
2018069963.tif 000008
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
換気扇本体と、
前記換気扇本体を収納するケースと、
前記ケース内に収納された第１ユニットと、
前記ケース内に収納された第２ユニットと、
前記第１ユニットと前記第２ユニットとを接続するリード線と、
を備え、
前記第１ユニットは、
筐体を構成するユニットケースと、
前記ユニットケース内に収納されて前記第１ユニットの機能を実行する機能部と、
前記ユニットケースの一側面と間隔を空けた状態で前記一側面の外側に設けられ、前記機能部から前記一側面の外側に引き出された前記リード線を保護する保護壁と、
前記一側面と前記保護壁との間において、第１の方向から前記リード線を押さえて固定する第１のリード押さえ固定部と、
前記一側面と前記保護壁との間において、前記第１の方向と反対方向である第２の方向から前記リード線を押さえて固定する第２のリード押さえ固定部と、
を備えること、
を特徴とする換気扇装置。
【請求項２】
前記第１ユニットは、前記機能部から前記一側面の外側に引き出される前記リード線の前記一側面の端部における位置を決める切り欠き部を有していること、
を特徴とする請求項１に記載の換気扇装置。
【請求項３】
前記第１ユニットは、前記機能部が前記換気扇装置の運転の操作および運転状態の表示を司る操作表示ユニットであり、
前記第２ユニットは、前記操作表示ユニットに対して制御信号を出力する制御回路ユニットであること、
を特徴とする請求項１または２に記載の換気扇装置。
【手続補正２】
【補正対象書類名】明細書
【補正対象項目名】０００８
【補正方法】変更
【補正の内容】
【０００８】
上述した課題を解決し、目的を達成するために、本発明にかかる換気扇装置は、換気扇本体と、換気扇本体を収納するケースと、ケース内に収納された第１ユニットと、ケース内に収納された第２ユニットと、第１ユニットと第２ユニットとを接続するリード線と、を備える。第１ユニットは、筐体を構成するユニットケースと、ユニットケース内に収納されて第１ユニットの機能を実行する機能部と、ユニットケースの一側面と間隔を空けた状態で一側面の外側に設けられ、機能部から一側面の外側に引き出されたリード線を保護する保護壁と、一側面と保護壁との間において、第１の方向からリード線を押さえて固定する第１のリード押さえ固定部と、一側面と保護壁との間において、第１の方向と反対方向である第２の方向からリード線を押さえて固定する第２のリード押さえ固定部と、を備える。
【手続補正３】
【補正対象書類名】明細書
【補正対象項目名】００２０
【補正方法】変更
【補正の内容】
【００２０】
表示基板３２は、操作表示部３１側に突出して設けられた複数色のランプ３２１を有している。複数色のランプ３２１は、換気扇装置１００の運転状態ごとに個別の色が設定されている。表示基板３２には、操作表示ユニット３０と制御回路ユニット４０とを接続する信号線、より詳細には表示基板３２と制御回路ユニット４０とを接続する信号線であるリード線５０が接続されたコネクタ部３２２が設けられている。コネクタ部３２２は、ランプ３２１、ボタン操作部３１１および受光部３１２と、図示しない配線により接続される。また、リード線５０の一端は、コネクタ部３２２に接続され、リード線５０の他端は、操作表示ユニット３０の外部に引き出されて制御回路ユニット４０に接続される。コネクタ部３２２には、複数のリード線５０が、１列に配列された状態で接続される。これにより、ランプ３２１、ボタン操作部３１１および受光部３１２は、図示しない配線およびリード線５０を介して制御回路ユニット４０と電気的に接続され、制御回路ユニット４０と通信可能とされている。なお、図２においては、リード線５０の一端側のみを示している。
【手続補正４】
【補正対象書類名】明細書
【補正対象項目名】００３０
【補正方法】変更
【補正の内容】
【００３０】
また、操作表示ユニット３０は、図４および図５に示すように、一側面３３２と保護壁３３３との間の間隙を通過するリード線５０を上下方向において押さえて固定する、スリット形状を有するリード押さえ固定部３３４を有している。ここでの上下方向は、１列に配列した状態で薄いシート３２３によって束ねられた複数のリード線５０の配列方向に対応しており、図２から図４におけるＹ方向に対応している。そして、一側面３３２と保護壁３３３との間の間隙を通過するリード線５０は、薄いシート３２３によって束ねられ、リード押さえ固定部３３４に固定された状態で、操作表示ユニット３０の外部に引き出されている。
【手続補正５】
【補正対象書類名】明細書
【補正対象項目名】００３２
【補正方法】変更
【補正の内容】
【００３２】
リード線５０が上部リード押さえ固定部３３５と下部リード押さえ固定部３３６との間に挿入されることにより、リード線５０が上部リード押さえ固定部３３５と下部リード押さえ固定部３３６とにより上下方向から押さえられ、固定される。すなわち、薄いシート３２３によって束ねられた複数のリード線５０のうち上端のリード線５０が、上部リード押さえ固定部３３５により上下方向における移動が制限されて固定される。また、薄いシート３２３によって束ねられた複数のリード線５０のうち下端のリード線５０が、下部リード押さえ固定部３３６により上下方向における移動が制限されて固定される。ここで、上部リード押さえ固定部３３５と下部リード押さえ固定部３３６とは、薄いシート３２３によって束ねられた複数のリード線５０の太さより細い隙間を有するスリット形状とされている。
【手続補正６】
【補正対象書類名】明細書
【補正対象項目名】００３６
【補正方法】変更
【補正の内容】
【００３６】
なお、複数のリード線５０が薄いシート３２３によって束ねられていない状態で操作表示ケース３３の一側面３３２と保護壁３３３との間隙に挿通される場合には、上部第１平行部３３７ｂと上部第２平行部３３８ｂとは、リード線５０の太さよりも細い既定の間隔を有した状態に配置される。上部第１平行部と上部第２平行部との間の間隔Ｌ１を、リード線５０の太さよりもより細くすることで、リード線５０が上部第１平行部３３７ｂと上部第２平行部３３８ｂとの間の間隔に入り込むことがなく、リード線５０を押さえて上方への移動を規制してリード線５０を固定することができる。
【手続補正７】
【補正対象書類名】明細書
【補正対象項目名】００３７
【補正方法】変更
【補正の内容】
【００３７】
同様に、下部リード押さえ固定部３３６は、第１下部リード押さえ固定部３３９と第２下部リード押さえ固定部３４０とにより構成されている。第１下部リード押さえ固定部３３９と第２下部リード押さえ固定部３４０とは、操作表示ケース３３の一側面３３２と保護壁３３３の内面との間において、保護壁３３３の面方向において対応する位置に配置されており、第１下部リード押さえ固定部３３９と第２下部リード押さえ固定部３４０と間の中央部における保護壁３３３の面方向と平行な仮想面Ｂに対して面対称な形状を有する。
【手続補正８】
【補正対象書類名】明細書
【補正対象項目名】００３８
【補正方法】変更
【補正の内容】
【００３８】
第１下部リード押さえ固定部３３９は、操作表示ケース３３の一側面３３２と保護壁３３３との間の一側面３３２側において、操作表示ケース３３の一側面３３２と保護壁３３３を接続する下部接続面３４１の内面から保護壁３３３の面方向と平行に上方に突出して設けられている。第２下部リード押さえ固定部３４０は、操作表示ケース３３の一側面３３２と保護壁３３３との間の保護壁３３３において、操作表示ケース３３の一側面３３２と保護壁３３３を接続する下部接続面３４１の内面から保護壁３３３の面方向と平行に上方に突出して設けられている。
【手続補正９】
【補正対象書類名】明細書
【補正対象項目名】００４１
【補正方法】変更
【補正の内容】
【００４１】
また、リード押さえ固定部３３４は、薄いシート３２３によって束ねられた複数のリード線５０のうち上端のリード線５０を上下方向における同じ位置で固定できれば、上記形状に限定されない。
【手続補正１０】
【補正対象書類名】明細書
【補正対象項目名】００４２
【補正方法】変更
【補正の内容】
【００４２】
また、操作表示ケース３３は、表示基板３２においてコネクタ部３２２が配置された側に対応するとともに表示基板３２から引き出されたリード線５０が通過する一側面３３２の端部３３２ａに嵌め込み部３４２を有する。嵌め込み部３４２は、リード線５０が表示基板３２と接続するための位置を分かりやすくするための位置決め用の切欠き部である。すなわち、嵌め込み部３４２は、表示基板３２から一側面３３２の外側に引き出されたリード線５０の一側面３３２の端部３３２ａにおける位置を決めるための切り欠き部である。
【手続補正１１】
【補正対象書類名】明細書
【補正対象項目名】００５２
【補正方法】変更
【補正の内容】
【００５２】
１０  換気扇本体、２０  ケース、２１  前面ケース、２２  本体ケース、２３  吸込口、２４  吹出口、２５  覗き窓、３０  操作表示ユニット、３１  操作表示部、３２  表示基板、３３  操作表示ケース、４０  制御回路ユニット、５０  リード線、１００  換気扇装置、３１１  ボタン操作部、３１２  受光部、３１３  ランプ表示部、３２１  ランプ、３２２  コネクタ部、３２３  シート、３３１  開口部、３３２  一側面、３３２ａ  端部、３３３  保護壁、３３４  リード押さえ固定部、３３５  上部リード押さえ固定部、３３６  下部リード押さえ固定部、３３７  第１上部リード押さえ固定部、３３７ａ  上部第１突出部、３３７ｂ  上部第１平行部、３３８  第２上部リード押さえ固定部、３３８ａ  上部第２突出部、３３８ｂ  上部第２平行部、３３９  第１下部リード押さえ固定部、３４０  第２下部リード押さえ固定部、３４１  下部接続面、３４２  嵌め込み部、３４３  上部接続面、３４４  上面、Ｌ１  上部第１平行部と上部第２平行部との間の間隔、Ｌ２  第１下部リード押さえ固定部と第２下部リード押さえ固定部との間の間隔、Ｌ３  シートを含めたリード線の太さ。
【手続補正１２】
【補正対象書類名】図面
【補正対象項目名】図２
【補正方法】変更
【補正の内容】
【図２】
2018069963.tif 000009
【手続補正１３】
【補正対象書類名】図面
【補正対象項目名】図４
【補正方法】変更
【補正の内容】
【図４】
2018069963.tif 000010
【国際調査報告】
2018069963.tif 000011
2018069963.tif 000012
2018069963.tif 000013
2018069963.tif 000014